(57)【要約】【課題】文字情報を入力するためのキーボードと、位置情報を入力するためのポインティングディバイスとを有するリモコン装置において、キーボードの操作や位置情報の入力操作が行い易いリモコン装置の提供を目的とする。【解決手段】リモコン装置１０は、表示装置を遠隔操作するための操作キー１１と、画面上で文字情報を入力するためのキーボード１６さらには位置情報を入力するためのポインティングディバイス１５とを操作面に配置している。このとき、ポインティングディバイス１５とキーボード１６とを配置する第二の操作面１７ａは、ポインティングディバイス１５を略中央にして、その両端にキーボード１６を配置する。【選択図】図３
2008172345.tif 000002
【特許請求の範囲】
【請求項１】
表示装置を遠隔操作するための操作キーと、文字情報を入力するためのキーボードと、位置情報を入力するためのポインティングディバイスとを操作面に配置するリモコン装置において、
上記操作キー、上記キーボード、および上記ポインティングディバイスとを用いた操作を受け付けつける制御基板と、
上記制御基板から出力されるコマンドに基づいて、指向性の少ない信号を送信する送信ユニットと、
上記制御基板を駆動するための電池とを有し、
上記操作面は、一対の対辺が他の対辺よりも長い長方形であって、上記操作面の長手方向を縦にして操作面を使用するよう上記操作キーを配置する第一の操作面と、
上記操作面の長手方向を横にして上記操作面を使用するよう上記キーボードを配置する第二の操作面とから成るとともに、上記第一の操作面を、上記第二の操作面の上方に開閉自在に配置し、
当該リモコン装置は、上記ポインティングディバイスを略中央にして同第二の操作面の左右に上記キーボードを配置するとともに、上記キーボードが配置される部位の厚みを、上記ポインティングディバイスが配置される部位の厚みよりも薄くし、
上記電池と上記送信ユニットとを上記厚みの大きい操作面の中央部であって、上記制御基板の上方に配置することを特徴とするリモコン装置。
【請求項２】
表示装置を遠隔操作するための操作キーと、文字情報を入力するためのキーボードと、位置情報を入力するためのポインティングディバイスとを操作面に配置するリモコン装置において、
上記操作面は、上記操作キーが配置される第一の操作面と、
上記キーボードと上記ポインティングディバイスとを配置する第二の操作面とから成り、
上記第二の操作面は、上記ポインティングディバイスを略中心とする両端に上記キーボードを配置することを特徴とするリモコン装置。
【請求項３】
当該リモコン装置は、操作面が、対向する辺が他の辺よりも長い長方形の形状であって、
上記第一の操作面を使用する場合は、上記操作面の長手方向を縦にして同第一の操作面を使用するよう上記操作キーを配置し、
上記第二の操作面を使用する場合は、上記操作面の長手方向を横にして同第二の操作面を使用するよう上記キーボードが配置されていることを特徴とする請求項２に記載のリモコン装置。
【請求項４】
上記第一の操作面は、上記第二の操作面の上方に開閉自在に配置されることを特徴とする請求項２または請求項３のいずれかに記載のリモコン装置。
【請求項５】
当該リモコン装置は、上記キーボードが配置される部位の厚みを、上記ポインティングディバイスが配置される部位の厚みよりも薄くしたことを特徴とする請求項４に記載のリモコン装置。
【請求項６】
更に、上記第一の操作面を開いた際、上記第一の操作面が上記第二の操作面に対して所定角度で保持される保持手段を有することを特徴とする請求項４または請求項５のいずれかに記載のリモコン装置。
【請求項７】
上記操作キーは、上記第一の操作面を上記第二の操作面の上方に配置した際、下方に向かって突出する伝達片を有し、
上記操作キーの操作を、上記伝達片を介して上記キーボードに伝達することを特徴とする請求項４〜請求項６のいずれか一項に記載のリモコン装置。
【請求項８】
更に、送信を行うための送信ユニットを有するとともに、上記送信ユニットは指向が少ない信号を用いて送信を行うことを特徴とする請求項２〜請求項７のいずれか一項に記載のリモコン装置。
【請求項９】
更に、駆動電源としての電源部を有し、
上記電源部と上記送信ユニットとは、略中央に配置されることを特徴とする請求項２〜請求項８のいずれか一項に記載のリモコン装置。
【請求項１０】
更に、当該リモコン装置を用いた操作を受け付けつける制御基板を有し、
上記制御基板は、上記操作面の両端に位置するキーボードの下方に配置され、
上記電源部は、当該リモコン装置の中央であって、上記制御基板の上方に配置されることを特徴とする請求項９に記載のリモコン装置。
【発明の詳細な説明】
【技術分野】
【０００１】
テレビジョン受信機を遠隔操作するリモコン装置に関し、特に、文字情報や位置情報を入力可能なリモコン装置に関する。
【背景技術】
【０００２】
従来テレビジョン受信機を操作するものとして、リモコン装置が知られている。リモコン装置は、操作キーを配置してテレビジョン受信機の遠隔操作を行うためのものである。また、近年、テレビジョン受信機にパーソナルコンピュータの機能を持たせ、ネットワーク等に接続することで、画面上で、Ｗｅｂ等の操作を行うことが可能となってきている。そのような、テレビジョン受信機に対応するために、従来のリモコン装置の機能に加え、画面に文字情報や座標情報を入力する機能を備えたリモコン装置が存在する（例えば、特許文献１、特許文献２、参照。）。
【０００３】
上述したリモコン装置では、従来の操作キーを用いたリモコン装置としての機能の他、キーボードやポインティングユニットを備え、画面上に文字情報や座標情報を入力することが可能となる。そのため、ネットワークやＯＳ上で展開される画面上で、当該リモコン装置を用いてアイコンの操作や文字入力等を行うことが可能である。
【特許文献１】特開平１０―１２４２２２
【特許文献２】特開平１０―１７４１７８
【発明の開示】
【発明が解決しようとする課題】
【０００４】
上述した特許文献１および特許文献２の発明は、次のような課題があった。つまり、リモコン装置に、キーボードやポインティングディバイスを配置するため操作がし難くかった。つまり、通常リモコン装置は、片手で操作できるよう小型のものがほとんどであり、キーを配置する操作面も大きくはない。このため、操作を行うキーの数が多くなると、各キーを配置する操作面には、多数のキーが配置されるとともに、その配置が乱雑となってしまう。そのため、ユーザは、上述したリモコン装置を使用した場合、操作性がし難く、リモコン装置を用いた操作を敬遠してしまう場合があった。
【０００５】
本発明は、上記課題にかんがみてなされたもので、文字情報を入力するためのキーボードと、位置情報を入力するためのポインティングディバイスとを有するリモコン装置において、キーボードの操作や位置情報の入力操作が行い易いリモコン装置の提供を目的とする。
【課題を解決するための手段】
【０００６】
上記課題を解決するために、本発明の請求項２にかかる発明では、表示装置を遠隔操作するための操作キーと、文字情報を入力するためのキーボードと、位置情報を入力するためのポインティングディバイスとを操作面に配置するリモコン装置において、上記操作面は、上記操作キーが配置される第一の操作面と、上記キーボードと上記ポインティングディバイスとを配置する第二の操作面とから成り、上記第二の操作面は、上記ポインティングディバイスを略中心とする両端に上記キーボードを配置する構成としてある。
【０００７】
上記のように構成した発明では、リモコン装置は、表示装置を遠隔操作するための操作キーと、画面上で文字情報を入力するためのキーボード、さらには位置情報を入力するためのポインティングディバイスとを操作面に配置している。このとき、ポインティングディバイスとキーボードを配置する第二の操作面は、ポインティングディバイスを略中央にして、その両端にキーボードを配置する構成としている。
【０００８】
そのため、第二の操作面を操作するときは、リモコン装置の両側より両手を添えてキーボードを操作するとともに、キーボードに両手を添えた状態から指を伸ばすことでポインティングディバイスを操作することができる。そのため、キーボードやポインティングディバイスを操作する際、使用者は、キーボードを両手で操作することができるとともに、わざわざキーボードに添えた両手を離すことなくポインティングディバイスを操作することがきる。そのため、リモコン装置を用いたキーボードの操作や位置情報の入力操作を行い易くすることができる。 
【０００９】
また、操作面の外形を工夫することにより使用者の操作性を向上することが可能となる。そのため、請求項３にかかる発明では、当該リモコン装置は、操作面が、対向する辺が他の辺よりも長い長方形であって、上記第一の操作面を使用する場合は、上記操作面の長手方向を縦にして同第一の操作面を使用するよう上記操作キーを配置し、上記第二の操作面を使用する場合は、上記操作面の長手方向を横にして同第二の操作面を使用するよう上記キーボードが配置される構成としてある。
【００１０】
上記のように構成した発明では、操作面は対向する辺が他の対辺より長い長方形の形状であり、第一の操作面を用いて操作キーを操作する場合は、操作面の長手辺を縦にして使用する。さらに、第二の操作面を用いて、ポインティングディバイスおよびキーボードを使用する場合は、操作面の長手辺を横にして使用する。これにより、第一の操作面を使用する際は、通常のリモコン装置の操作のように片手で操作することができるとともに、第二の操作面を使用する場合は、操作面の長手辺が横とするため、キーボードを両手で持ち易くなる。このため、リモコン装置をより使いやすくすることができる。
【００１１】
そして、第一の操作面と第二の操作面の配置関係の具体的な一例として、請求項４にかかる発明では、上記第一の操作面は、上記第二の操作面の上方に開閉自在に配置される構成としてある。
上記のように構成した発明では、第一の操作面は、第二の操作面の情報に開閉自在に配置されており、第二の操作面を使用する場合は、第一の操作面を開いて操作を行う。そのため、第一の操作面と第二の操作面とは別々の面で構成されているため、操作面の面積を小さくするこができる。そのため、リモコン装置の大きさをコンパクトにすることができる。
【００１２】
さらに、当該リモコン装置をより使い易くするための具体的な構成の一例として、請求項５にかかる発明は、当該リモコン装置は、上記キーボードが配置される部位の厚みを、上記ポインティングディバイスが配置される部位の厚みよりも薄くした構成としてある。  上記のように構成された発明では、リモコン装置は、キーボードが配置される部位は、ポインティングディバイスが配置される部位より厚みを薄くしている。そのため、第一の操作面を使用した際、キーボードが配置される両側の厚みをポインティングディバイスが配置される中心より薄くしてあるため、リモコン装置の両側を握り易くすることができる。このため、リモコン装置の操作をより一層向上することができる。
【００１３】
また、上記第一の操作面と第二の操作面の位置関係の具体的な構成として、請求項６にかかる発明では、更に、上記第一の操作面を開いた際、上記第一の操作面が上記第二の操作面に対して所定角度で保持される保持手段を有する構成としてある。
【００１４】
上記のように構成した発明では、第一の操作面を開いて第二の操作面を操作する場合、第一の操作面は、保持手段により所定角度で保持される。これにより、第二の操作面を用いて操作を行う場合でも、第一の操作面は動くことがなく操作の邪魔にならない。そのため、使用者は操作により一層集中することができる。
【００１５】
そして、第一の操作面と第二の操作面の具体的な構成の一例として、請求項７かかる発明では、上記操作キーは、上記第一の操作面を上記第二の操作面の上方に配置した際、下方に向かって突出する伝達片を有し、上記操作キーの操作を、上記伝達片を介して上記キーボードに伝達する構成としてある。
【００１６】
上記のように構成された発明では、第一の操作面に配置される操作キーは、下方に向かって突出する伝達片を有している。これにより、操作キーの押圧操作は、下方に配置される第二の操作面に配置されるキーボードに伝達される。このため、第一の操作面を制御するための電気的な配線を必要とせず、簡易な構成で本発明のリモコン装置を実現することができる。
【００１７】
さらに、リモコン装置から送信される信号の具体的な構成として、請求項８にかかる発明では、更に、送信を行うための送信ユニットを有するとともに、上記送信ユニットは指向性が少ない信号を用いて送信を行う構成としてある。
【００１８】
上記のように構成した発明では、操作情報をテレビジョン受信機等に送信する送信ユニットは、指向性が少ない信号を用いてテレビジョン受信機等を遠隔操作する。そのため、リモコン装置をテレビジョン受信機に対してどのように向けても、信号は確実にテレビジョン受信機に送信される。つまり、リモコン装置を横にして、第二の操作面を操作した場合でも、送信ユニットから送信される信号は、テレビジョン受信機に対して横を向いた状態で送信することができる。そのため、送信ユニットを複数持つ必要がなく、リモコン装置をコンパクトにすることができる。指向性が少ない信号としては、無線波等が考えられ、その一例として、Bluetooth（商標登録）が挙げられる。
【００１９】
また、リモコン装置の重量配分を考慮することにより、操作性をより向上することが可能となる。そのため、請求項９にかかる発明では、更に、駆動電源として電源部を有し、上記電源部と上記送信ユニットとは、略中央に配置される構成としてある。
【００２０】
上記のように構成された発明では、駆動電源として電源部を使用するとともに、電源部と送信ユニットはリモコン装置の中央に配置される。そのため、重量物は中央に配置されるため、リモコン装置の重心を中心とすることができる。故に、リモコン装置の取り回しを容易にすることができ、操作性を向上させる。なお、電源部の具体的な一例としては、電池が挙げられる。
【００２１】
そして、リモコン装置の内部に配置される電源部の具体的な配置方法として、請求項１０にかかる発明では、更に、当該リモコン装置を用いた操作を受け付けつける制御基板を有し、上記制御基板は、上記操作面の両端に位置するキーボードの下方に配置され、上記電源部は、当該リモコン装置の中央であって、上記制御基板の上方に配置される構成としてある。
【００２２】
上記のように構成した発明では、リモコン装置は、制御基板を両端に配置されるキーボードの下方に配置し、電源部を中央に配置する構成である。そのため、厚みのある電池等を中心に配置するとともに、制御基板を電源部の下方に配置することで、リモコン装置の両端をより薄くすることが可能となる。これにより、リモコン装置をコンパクトにすることができる。
【００２３】
さらに、上記課題を解決するための具体的な構成として、請求項１に記載の発明は、表示装置を遠隔操作するための操作キーと、文字情報を入力するためのキーボードと、位置情報を入力するためのポインティングディバイスとを操作面に配置するリモコン装置において、上記操作キー、上記キーボード、および上記ポインティングディバイスとを用いた操作を受け付けつける制御基板と、上記制御基板から出力されるコマンドに基づいて、指向性の少ない信号を送信する送信ユニットと、上記制御基板を駆動するための電池とを有し、上記操作面は、一対の対辺が他の対辺よりも長い長方形であって、上記操作面の長手方向を縦にして操作面を使用するよう上記操作キーを配置する第一の操作面と、上記操作面の長手方向を横にして上記操作面を使用するよう上記キーボードを配置する第二の操作面とから成るとともに、上記第一の操作面を、上記第二の操作面の上方に開閉自在に配置し、当該リモコン装置は、上記ポインティングディバイスを略中央にして同第二の操作面の左右に上記キーボードを配置するとともに、上記キーボードが配置される部位の厚みを、上記ポインティングディバイスが配置される部位の厚みよりも薄くし、上記電池と上記送信ユニットとを上記厚みの大きい操作面の中央部であって、上記制御基板の上方に配置する構成としてある。
【発明の効果】
【００２４】
以上説明したように本発明によれば、文字情報を入力するためのキーボードと、位置情報を入力するためのポインティングディバイスとを有するリモコン装置において、キーボードの操作や位置情報の入力操作を行い易くすることができる。
また請求項３にかかる発明によれば、キーボードを両手で操作しやすくなり、リモコン装置をより使いやすくすることができる。
そして請求項４にかかる発明によれば、操作面の面積を小さくするこができ、リモコン装置の大きさをコンパクトにすることができる。
さらに請求項５にかかる発明によれば、リモコン装置の両側を握り易くすし、操作をより一層向上することができる。
また請求項６にかかる発明によれば、第二の操作面を用いて操作を行う場合でも、第一の操作面は動くことがなく操作の邪魔にならず、操作により一層集中することができる。  
【００２５】
そして請求項７にかかる発明によれば、第一の操作面を制御するための電気的な配線を必要とせず、簡易な構成で本発明のリモコン装置を実現することができる。
さらに請求項８にかかる発明によれば、送信ユニットを複数持つ必要がなく、リモコン装置をコンパクトにすることができる。
また請求項９にかかる発明によれば、重心を中心とすることで、リモコン装置の取り回しを容易にすることができ、操作性を向上させる。
そして請求項１０にかかる発明によれば、リモコン装置をコンパクトにすることができる。
さらに請求項１のような、より具体的な構成において、上述した請求項２〜請求項１０の各発明と同様の作用を奏することはいうまでもない。
【発明を実施するための最良の形態】
【００２６】
以下、下記の順序に従って本発明の実施の形態でのリモコン装置を説明する。
（１）実施の形態
（１−１）リモコン装置の構成
（１−２）リモコン装置の内部配置構成
（２）まとめ
【００２７】
（１）実施の形態
（１−１）リモコン装置の構成
【００２８】
以下、図１〜図４を参照して、この発明に係るリモコン装置を具体化した実施の形態について説明する。リモコン装置は、表示装置としてのテレビジョン受信機等を遠隔操作するためのものである。また、本発明のリモコン装置は、画面上に文字情報や位置情報を入力することが可能である。具体的には、テレビジョン受信機にパーソナルコンピュータを接続したり、コンピュータの機能を内蔵するテレビジョン受信機において、画面上でキーボードを用いて文字情報を入力したり、ポインティングディバイスを用いて位置情報を入力することが可能である。
【００２９】
図１は、本発明にかかるリモコン装置１０のブロック構成図である。リモコン装置１０は、使用者の押圧操作を受け付ける操作キー１１とキーボード１６、使用者の操作を受け付け、位置情報を入力するポインティングディバイス１５、操作キー１１、キーボード１６、およびポインティングディバイス１５からの操作により入力された操作を受信する制御基板１２、制御基板１２が出力する信号によるコマンドを指向性の少ない電波に変換して出力する送信ユニット１４、さらにはリモコン装置１０を駆動するための電源部としての電池１００とを有する構成である。これらの構成要素は、筺体１７に収容されて保持される。
【００３０】
上述した構成により、使用者が操作キー１１、キーボード１６およびポインティングディバイス１５のいずれかの操作を行うと、操作により出力される信号は、制御基板１２に出力される。その後、制御基板１２は信号を受信して、送信ユニット１４に信号を出力する。送信ユニット１４は、受信した信号によるコマンドを指向性の少ない電波に変換してテレビジョン受信機（図示しない）に出力する。これにより、リモコン装置１０は、テレビジョン受信機を遠隔操作する。
【００３１】
操作キー１１は、テレビジョン受信機を遠隔操作するための複数の入力キーを配置し、上記入力キーの押圧によりコマンドを制御基板に出力する。キーボード１６は、画面に文字情報を入力するためのものである。キーボード１６は、複数の入力キーを配置して、上記入力キーの押圧により文字情報のコマンドを入力する。ここで、文字情報とは、日本語や英語等の文字の他、数字や記号を含むものとする。また、操作キー１１とキーボード１６とは、伝達片１３（後述）で繋がっており、操作キー１１の押圧操作は伝達片１３を介してキーボード１６を連動し、押圧操作を制御基板１２に出力する。
【００３２】
ポインティングディバイス１５は、位置情報を入力するためのものである。具体的には、ポインティングディバイス１５は、画面上での入力位置や座標を指定する入力機器であればよい。そのため、具体的な一例として、マウスやトラックパッド、トラックボールが挙げられる。
【００３３】
制御基板１２は、操作キー１１、キーボード１６およびポインティングディバイス１５の操作を受け付けるとともに、受け付けた操作に基づいて送信ユニットにディジタル信号でコマンドを出力する。そのため、制御基板１２は、操作キー１１、およびキーボード１６からの操作を受け付けるキー入力部１２ａと、キー入力部１２ａおよびポインティングディバイス１５からの信号を受け付けるＡ／Ｄ変換回路１２ｂ、Ａ／Ｄ変換回路１２ｂによりディジタル変換された信号に基づいて、送信ユニット１４に所定の信号を出力する制御部１２ｃとを有している。これにより、制御基板１２は、受け付けた信号を所定のコマンドに変換して送信ユニット１４に出力する。
【００３４】
送信ユニット１４は、制御基板１２から受け付けたコマンドに基づいて指向性の少ない電波を生成し、テレビジョン受信機に出力するためのものである。具体的には、送信ユニットは、受信したコマンドに基づいて、指向性の少ない電波を生成して出力する。その具体的な一例として、Bluetooth （商標登録）が挙げられる。
【００３５】
図２は、テレビジョン受信機を遠隔操作する場合のリモコン装置の形態を表す斜視図である。図３は、文字情報や位置情報を入力する場合のリモコン装置の形態を表す斜視図である。リモコン装置１０は、テレビジョン受信機を遠隔操作する場合は、図２の形態にて使用される。また、文字情報や位置情報を入力する場合は、図３の形態にて使用される。  
【００３６】
同図２より、筺体１７は、内部に空間を形成し、図１に示した各構成要素を収容するためのものである。また、筺体１７は一対の対辺が他の対辺よりも長い長方形の操作面を有する形状である。本発明のリモコン装置１０は、操作面を２つ有し、図２に表示される、操作キー１１が配置される面を第一の操作面１７ａとし、図３に表示される、キーボード１６およびポインティングディバイス１５が配置される面を第二の操作面１７ｂとする。  
【００３７】
第一の操作面１７ａは、第二の操作面１７ｂ上方に、回転軸を用いて図中ｂ−ｂ方向に開閉自在に配置されている。また、第一の操作面１７ａを開いた際、第二の操作面１７ｂに対して所定角度に保持される。具体的には、第一の操作面を回転軸を中心として、図３のように開いた場合、第一の操作面１７ａは例えば、バネ（固定手段）により付勢力を付与されて第二の操作面１７ｂに対して所定角度で保持される。以下一例としての、第一の操作面１７ａが所定角度で固定される機構を説明する。
【００３８】
図４は、文字情報や位置情報を入力する場合のリモコン装置の横断面図である。同図より、第一の操作面１７ａと第二の操作面１７ｂとは、回転軸１９を用いて、図中半時計回りに回転可能に接続されている。また、回転軸１９には、バネ（ネジリバネ）が横断面の中心を回転軸１９の軸方向に向けて配置されている。なお、バネ２０は、両端から端片２０ａ、２０ｂが突出しており、バネ２０の弾性力は端片２０ａ、２０ｂによって図中反時計回りに付勢力を与える。このとき、バネ２０の端片２０ａは第一の操作面１７ａと接続されている。また、バネ２０の端片２０ｂは第二の操作面１７ｂと接続されている。
【００３９】
これにより、文字情報や位置情報を入力する際、第一の操作面１７ａを開くと、第一の操作面１７ａはバネ２０の弾性力により図中反時計回りに回転する。このとき、第一の操作面１７ａは、第二の操作面１７ｂに対して所定角度（図中α）まで開くよう回転軸１９を介して接続しており、それ以上開かないようになっている。そのため、第一の操作面１７ａがバネ２０の弾性力により、第二の操作面１７ｂに対して所定角度まで開いた後、その角度（図中α）以上開かず、バネ２０の弾性力による半時計回りの付勢力のみが、第一の操作面１７ａに作用する。そのため、第一の操作面１７ａは、バネ２０により所定角度で保持される。これにより、使用者は、第二の操作面１７ｂを表示させ、キーボード１６およびポインティングディバイス１５を操作する。
【００４０】
第一の操作面１７ａは、下側に開口を有する凹部を形成するとともに、横断面が一対の対辺が他の対辺よりも長い長方形の形状である。また、中央付近の厚みが厚い中空状の凸部１７ａ１と、凸部１７ａ１の両端に凸部１７ａ１より厚みが薄い平面１７ａ２、１７ａ３とを有する形状である。なお、凸部１７ａ１の下方には、第二の操作面１７ｂに配置されるポインティングディバイス１５が収容される。
【００４１】
第一の操作面１７ａは、長い方の対辺を縦方向に配置して使用するよう、操作キー１１の各操作キーを配置する。具体的には、第一の操作面１７ａは、平面１７ａ２にテレビジョン受信機のチャネルを切り替えるためのチャンネルキー１１ａや、電源キー１１ｂを配置する。さらに、第一の操作面１７ａは、平面１７ａ３にメニュー画面でのアイコンの操作や画面の切り替えを行うメニューキー１１ｃを配置している。これにより、使用時は、メニューキー１１ｃが配置される平面１７ａ３を下にして使用される。
【００４２】
第二の操作面１７ｂは、横断面が一対の対辺が他の対辺よりも長い長方形であって、内部に図１に示す各構成要素を収容する。また、厚みの大きい収容部１７ｂ１と、収容部１７ｂ１に対して厚みが薄い平面１７ｂ２、１７ｂ３とを有する形状である。第二の操作面１７ｂは、ポインティングディバイス１５の操作部が収容部１７ｂ１より突出するよう配置する。また、収容部１７ｂ１の内側には、後述する電池１００や送信ユニット１４を収容する。そのため、収容部１７ｂ１の側面には、電池１００を出し入れするための開口が形成され、通常は、蓋１７ｂ４により遮蔽されている。また、第二の操作面１７ｂは、厚みの薄い両側の面である平面１７ｂ２、１７ｂ３に、キーボード１６、１６を配置している。
【００４３】
また、第二の操作面１７ｂは、長い方の対辺を横方向に配置して使用するよう、キーボード１６、１６の各キーを配置する。具体的には、ポインティングディバイス１５を中心として、その両側の平面１７ｂ２、１７ｂ３にキーボード１６、１６を配置する。これにより、第二の操作面１７ｂの両側の平面１７ｂ２、１７ｂ３を左右の手で握ってキーボード１６、１６を操作する。さらに、ポインティングディバイス１５を操作する場合は、例えば、両手で平面１７ｂ２、１７ｂ３を親指を上方に向けて握った状態で、親指を伸ばすことにより操作することができる。
【００４４】
（１−２）リモコン装置の内部配置構成
図５は、リモコン装置１０の横断面図である。同図より、リモコン装置１０は、筺体１７内の底面に、制御基板１２を厚み方向を同じに配置するとともに、制御基板１２の上方に、キーボード１６を配置する。さらに、第二の操作面１７ｂの収容部１７ｂ１内に、電池１００を厚み方向を同じになるよう配置するとともに、電池１００の横に送信ユニット１４、さらにはに電池１００の上方にポインティングディバイス１５を配置する。さらに、キーボード１６の上方には、第一の操作面１７ａに配置された操作キー１１を平面１７ａ２、１７ａ３に分割して配置する。
【００４５】
さらに、第一の操作面１７ａと第二の操作面１７ｂとは、伝達片１３を介して押圧操作に連動する構成となっている。具体的には、操作キー１１の第一の操作面１７ａから突出しない側の面には、所定長だけ突出する伝達片１３が形成されている。そのため、第一の操作面１７ａを第二の操作面１７ｂの上方になるよう、回転軸を中心に閉じた場合、操作キー１１から突出する伝達片１３の先端は、キーボード１６のいずれかのキーの上方に配置される。これにより、操作キー１１の各キーを押圧すると、それに連動して伝達片１３が下方のキーボード１６の各キーを押圧する。これにより、操作キー１１の押圧操作は、制御基板１２に伝達される。そのため、操作の切り替えは、以下のようにして実行する。  
【００４６】
つまり、操作キー１１とキーボード１６の操作の切り替えは、切り替え片１８を介して切り替えられる。具体的には、第一の操作面１７ａの操作キーが突出しない背面側には、背面側より突出する切り替え片１８が配置されている。第一の操作面１７ａを、第二の操作面１７ｂの上方に配置した場合、切り替え片１８の下方には、キーボード１６のキーである切り替えキー１６ａが配置されている。このため、第一の操作面１７ａを第二の操作面１７ｂの上方に向けて配置した場合、切り替え片１８は、切り替えキーを押圧する。これにより、制御基板１２には、切り替えキー１６ａの押圧操作を受信して送信ユニット１４に出力するコマンドを、キーボード１６を操作した場合のコマンドから、操作キーを操作した場合のコマンドへと切り替える。これにより、送信ユニット１４から送信される電波は、操作キー１１を操作したものとなる。
【００４７】
また、このとき、第一の操作面１７ａから突出する切り替え片１８を複数とすれば、複数の切り替え片１８により押圧がなされた場合のみ、操作キー１６とのキーボード１６との切り替えが行われる。つまり、複数の操作キー１６を押した場合のみ、操作の切り替えが実行されることとなる。そのため、第一の操作面１７ａを開いた状態で、誤って切り替えキーを操作してしまうのを防止する確率を低減することができる。
【００４８】
（２）まとめ
以上説明したように、リモコン装置１０は、表示装置を遠隔操作するための操作キー１１と、画面上で文字情報を入力するためのキーボード１６さらには位置情報を入力するためのポインティングディバイス１５とを操作面に配置している。このとき、ポインティングディバイス１５とキーボード１６とを配置する第二の操作面１７ａは、ポインティングディバイス１５を略中央にして、その両端にキーボード１６を配置する構成としている。  
【００４９】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【図面の簡単な説明】
【００５０】
【図１】本発明にかかるリモコン装置のブロック構成図である。
【図２】テレビジョン受信機を遠隔操作する場合のリモコン装置の形態を表す斜視図である。
【図３】文字情報や位置情報を入力する場合のリモコン装置の形態を表す斜視図である。
【図４】文字情報や位置情報を入力する場合のリモコン装置の横断面図である。
【図５】リモコン装置の横断面図である。
【符号の説明】
【００５１】
１０…リモコン装置、１１…操作キー、１１ａ…チャンネルキー、１１ｂ…電源キー、１１ｃ…メニューキー、１２…制御基板、１２ａ…キー入力部、１２ｂ…Ａ／Ｄ変換回路、１２ｃ…制御部、１３…伝達片、１４…送信ユニット、１５…ポインティングディバイス、１６…キーボード、１６ａ…切り替えキー、１７…筺体、１７ａ…第一の操作面、１７ａ１…凸部、１７ａ２、１７ａ３…平面、１７ｂ…第二の操作面、１７ｂ１…収容部、１７ｂ２、１７ｂ３…平面、１７ｂ４…蓋、１８…切り替え片、１９…回転軸、２０…バネ、２０ａ、２０ｂ…端片、１００…電池
【図１】
2008172345.tif 000003
【図２】
2008172345.tif 000004
【図３】
2008172345.tif 000005
【図４】
2008172345.tif 000006
【図５】
2008172345.tif 000007